(57)【要約】【課題】放送に用いられる情報を伝送する伝送装置において、所定の信号の瞬間的な変動を検出してその結果を記憶や表示する。【解決手段】変動検出手段が、ローカル周波数の変動と送信出力レベルの変動の一方又は両方を検出する。変動処理手段が、前記変動検出手段により変動が検出された場合に、当該変動に関する情報を記憶することと当該変動に関する情報を出力することの一方又は両方を行う。図示の例では、ローカル周波数変動の検知回路を示してあり、変動検出手段２１、２２がローカル周波数の変動を検出し、変動処理手段２３、２４が変動検出手段２１、２２により変動が検出された場合に当該変動に関する情報を記憶することや当該変動に関する情報を出力することを行う。【選択図】  図１
2008219281.tif 000002
【特許請求の範囲】
【請求項１】
放送に用いられる情報を伝送する伝送装置において、
ローカル周波数の変動と送信出力レベルの変動の一方又は両方を検出する変動検出手段と、
前記変動検出手段により変動が検出された場合に、当該変動に関する情報を記憶することと当該変動に関する情報を出力することの一方又は両方を行う変動処理手段と、
を備えたことを特徴とする伝送装置。
【発明の詳細な説明】
【技術分野】
【０００１】
本発明は、例えば、放送システムの伝送装置に関し、特に、所定の信号の瞬間的な変動を検出してその結果を記憶や表示する伝送装置に関する。
【背景技術】
【０００２】
例えば、デジタルテレビジョンなどの放送システムでは、放送用の無線中継伝送装置として可搬型の伝送装置（ＦＰＵ：Ｆｉｅｌｄ  Ｐｉｃｋｕｐ  Ｕｎｉｔ）が用いられており、このような伝送装置により映像の情報や音声の情報を伝送することが行われている。この映像の情報や音声の情報は、そのまま或いは加工されて、放送信号として用いられる。
このような伝送装置では、機器に発生した異常の警告として、例えば、供給電圧低下の異常や、送信出力電力低下の異常や、チャンネルロックの異常が、機器の前面に設けられた操作パネル上に出力される。
【発明の開示】
【発明が解決しようとする課題】
【０００３】
しかしながら、上述のような伝送装置では、ローカル発振器の周波数や送信出力電力が瞬間的に変動して、その異常の発生が前面の操作パネル上に表示されたとしても、瞬時に正常状態に戻った場合には判別することが不能であった。また、受信機では、発生した異常について、電波伝搬状況に起因する要因であるのか、或いは、装置の故障や不調に起因する要因であるのかを判別することが困難であった。
【０００４】
例えば、電波伝送路上に要因があった場合には、要因の解明には、多種の測定器や冶具を要し、また、長期に及ぶ場合がある。同様に、機器の不調による場合にも、組み込み方式で構成されているときには、原因となるユニットの切り分けが困難なことがある。
このような機器の不調に関しては、瞬間的なローカル周波数の変動、或いは、瞬間的な送信出力の変動が原因となることが考えられる。
【０００５】
本発明は、このような従来の事情に鑑み為されたもので、所定の信号の変動を検出してその結果を記憶や表示することができる伝送装置を提供することを目的とする。
更に具体的には、例えば、瞬間的なローカル周波数の変動や、瞬間的な送信出力の変動を検出する。
【課題を解決するための手段】
【０００６】
上記目的を達成するため、本発明では、放送に用いられる情報を伝送する伝送装置において、次のような構成とした。
すなわち、変動検出手段が、ローカル周波数の変動と送信出力レベルの変動の一方又は両方を検出し、そして、変動処理手段が、前記変動検出手段により変動が検出された場合に、当該変動に関する情報を記憶することと当該変動に関する情報を出力することの一方又は両方を行う。
【０００７】
従って、ローカル周波数や送信出力レベルについて、信号の変動を検出してその結果を記憶や表示することが行われるため、例えば、瞬間的なローカル周波数の変動や瞬間的な送信出力の変動が発生した場合に、その異常の発生を人（ユーザ）などにより把握することができる。
【０００８】
ここで、伝送装置としては、例えば、放送システムの無線中継伝送装置（ＦＰＵ）など、種々な装置に適用されてもよい。また、送信機ばかりでなく、受信機に適用されてもよい。
また、放送に用いられる情報としては、例えば、映像の情報や音声の情報が用いられ、そのまま或いは加工されて放送に用いられる。
また、レベルとしては、例えば、電力などのレベルを用いることができる。
【０００９】
また、ローカル周波数の変動に関する情報や、送信出力レベルの変動に関する情報としては、それぞれ、種々な情報が用いられてもよく、例えば、変動の値の情報を用いることや、変動の値と所定の閾値との比較結果を表す情報を用いることや、変動の値に基づいて異常が発生したことが判定されたことを示す情報を用いることなどができる。
また、変動に関する情報としては、例えば、記憶される情報と出力される情報とで、同一の情報が用いられてもよく、或いは、異なる情報が用いられてもよい。
また、情報を出力する態様としては、例えば、表示出力する態様や、印刷出力する態様などを用いることができる。
【発明の効果】
【００１０】
以上説明したように、本発明に係る伝送装置によると、例えば、瞬間的なローカル周波数の変動や瞬間的な送信出力の変動が発生した場合に、その異常の発生を人（ユーザ）などに通知することができ、これにより、伝送エラーの要因の一種を特定させることができる。
【発明を実施するための最良の形態】
【００１１】
本発明に係る実施例を図面を参照して説明する。
なお、第１実施例ではローカル周波数の変動を検知する回路を示し、第２実施例では送信出力の変動を検知する回路を示すが、例えば、これらの回路は別々に実施されてもよく、或いは、これら両方の回路が同一の装置に適用されてもよい。
【実施例１】
【００１２】
本発明の第１実施例を説明する。
本例では、放送システムで可搬型の中継装置として用いられる映像情報及び音声情報の伝送装置（ＦＰＵ）の送信機或いは受信機の高周波部に本発明を適用した場合を示す。
【００１３】
図１には、本発明の一実施例に係るローカル周波数変動の検知回路が設けられた伝送装置の構成例を示してある。なお、本例では、検知回路の周辺の構成部分を示してあり、他の構成部分については図示や説明を省略する。
本例の伝送装置は、発振器（ローカル発振器）１と、ＰＬＬ（Ｐｈａｓｅ  Ｌｏｃｋｅｄ  Ｌｏｏｐ）部２と、抵抗１１及びコンデンサ１２からなる回路部と、コンパレータ３と、検知部４を備えている。ここで、ＰＬＬ部２とコンパレータ３との間に抵抗１１が接続されており、抵抗１１のコンパレータ３側の信号点と接地源との間にコンデンサ１２が接続されている。
検知部４には、コンパレータ２１と、ラッチ部２２と、ＣＰＵ（Ｃｅｎｔｒａｌ  Ｐｒｏｃｅｓｓｉｎｇ  Ｕｎｉｔ）２３と、表示回路２４と、電源監視部２５と、加算器２６を備えている。
【００１４】
本例の伝送装置において行われる動作の一例を示す。
発振器１は、所定の周波数（ローカル周波数）の信号を発振する。このローカル周波数の信号は例えば通信処理に用いられ、この信号の一部がＰＬＬ部２に入力される。また、このローカル周波数は、ＰＬＬ部２から発振器１へ入力される制御信号に応じて制御される。
ＰＬＬ部２は、例えば、位相比較器やチャージポンプなどを用いて構成されたＰＬＬ回路を有しており、発振器１から入力される信号に基づいて、そのローカル周波数が所定の周波数（基準周波数）になるように制御するための制御信号を発振器１へ出力する。
なお、ＰＬＬ回路としては、例えば、一般的に知られている回路構成を用いることができ、本例では、詳しい説明は省略する。
【００１５】
本例では、ＰＬＬ部２の位相比較器のチャージポンプの出力端から出力された信号が、抵抗１１及びコンデンサ１２からなる回路部を通過してコンパレータ３に入力されるとともに、コンパレータ２１に入力される。
ここで、ＰＬＬ部２の位相比較器のチャージポンプの出力端から出力される信号は、例えば、ローカル周波数と基準周波数との誤差（位相差）を反映したものとなる。
【００１６】
コンパレータ３は、ＰＬＬ部２から抵抗１１及びコンデンサ１２からなる回路部を介して入力された信号と例えば予め設定された比較対象値とを比較判定し、その結果に応じた信号をＰＬＬのＬＤ（ロック検出の出力端子）へ出力するとともに、その結果に応じた信号をラッチ部２２へ出力する。この信号は、ラッチ部２２のラッチイネーブル信号として用いられる。
コンパレータ２１は、ＰＬＬ部２から入力された信号と例えば予め設定された比較対象値とを比較判定し、その結果の信号をラッチ部２２へ出力する。
【００１７】
ここで、コンパレータ３、２１による処理としては、例えば、入力信号の値（例えば、絶対値）と比較対象値（例えば、正の値）との大小を比較して、入力信号値が比較対象値以上となった（又は、比較対象値を超えた）場合には所定の第１の値（例えば、「０」値又は「１」値）の信号を出力し、入力信号値が比較対象値未満となった（又は、比較対象値以下となった）場合には所定の第２の値（例えば、「１」値又は「０」値）の信号を出力する処理などを用いることができる。
【００１８】
ラッチ部２２は、コンパレータ２１から入力された信号をラッチしてＣＰＵ２３及び表示回路２４へ出力する。
ここで、ラッチ部２２からのラッチ出力は、コンパレータ３から入力される信号をラッチイネーブル信号とし、加算器２６から入力される信号をリセット信号として、制御される。
【００１９】
ＣＰＵ２３は、例えば予め設定されたプログラムに従って、各種の処理を実行する。本例では、ＣＰＵ２３は、ラッチ部２２から入力された信号を取り込んで、その信号の値をメモリにログとして記憶（保持）することや、その信号の値に基づいて発振器１のローカル周波数に瞬間的な変動が発生したか否かを判定することや、発振器１のローカル周波数に瞬間的な変動が発生したことが判定された場合に、表示回路２４により警告を表示させるなどして、人（ユーザ）に対して警告を発することを行う。
【００２０】
表示回路２４は、例えば、ラッチ部２２から入力された信号の値を表示することや、ＣＰＵ２３からの制御により警告の情報を表示することを行う。
ここで、表示回路２４としては、例えば、機器（本例では、伝送装置）の前面に設けられた操作パネル上に表示機能（例えば、表示画面など）を備えることや、或いは、機器の内部にＬＥＤ（Ｌｉｇｈｔ  Ｅｍｉｔｔｉｎｇ  Ｄｉｏｄｅ）等による表示機能を備えることにより、構成される。
【００２１】
電源監視部２５は、機器の電源を監視して、所定の条件が満たされる場合に、ラッチ部２２からのラッチ出力をリセットするための制御信号を加算器２６へ出力する。このような電源監視により、初期電源投入時における動作不定を防ぐ。
本例では、例えば、電源がオフからオンへ切り替えられてから所定の時間が経過したタイミング（動作が安定したと予想されるタイミング）で、ラッチ部２２からのラッチ出力をリセットする。
【００２２】
また、加算器２６には、伝送対象となる映像及び音声のチャンネルの切り換えが行われた場合にはその旨を示す信号がリセットの制御信号として入力される。これにより、チャンネルの切り換えが行われる毎に、ラッチ部２２からのラッチ出力をリセットする。なお、チャンネル切り換えを示す信号は、例えば、人による操作により或いは機器により自動的にチャンネルが切り換えられた場合に、制御部（図示せず）などにより発生させられる。
【００２３】
加算器２６は、電源監視部２５からの信号の入力とチャンネル切り換えを示す信号の入力とを加算し、その結果の信号をラッチ部２２へ出力する。これにより、電源監視部２５からの制御或いはチャンネル切り換えを示す信号の少なくともいずれかがあった場合には、ラッチ部２２からのラッチ出力がリセットされる。
【００２４】
また、上述のように、本例では、ＰＬＬ部２の位相比較器のチャージポンプ出力を平滑化させた信号をラッチ部２２のラッチイネーブル信号として利用しており、これにより、ローカル周波数を制御するＰＬＬ回路においてローカル周波数が任意の周波数に収束した後にのみ検知回路が動作するようにしている。具体的には、ローカル周波数が任意の周波数に収束した後に、その収束状態から変動して、瞬間的な周波数変動が発生した場合にのみ、その異常な出力がラッチ出力として得られ、ＣＰＵ２３に取り込まれて、ログとして保持することや、若しくは、表示回路２４により警告等を表示することが行われる。
【００２５】
以上のように、本例の映像・音声情報伝送装置（ＦＰＵ）では、瞬間的なローカル周波数の変動を検知して、その結果をログとして保持することや、その異常な結果を示す警告を表示することが行われる。
従って、本例では、瞬間的なローカル周波数の変動を検出して保持や警告することができるという点で、例えば、伝送エラーが生じた場合に、電波伝送路上の問題による影響であるか、或いは、機器内部の不調によるものであるかの判別を容易化することが可能である。
【００２６】
具体的には、本例の映像・音声情報伝送装置（ＦＰＵ）では、伝送エラーが生じた場合に、その要因が瞬間的なローカル周波数の変動であったときには、そのことを把握することができ、例えば、トラブルシューティングの１ツールとして利用することが可能である。
また、本例では、製造過程における不良の早期発見が可能となり、不良率の低減化にもつながる。
【００２７】
なお、本例の伝送装置では、コンパレータ２１やラッチ部２２が瞬間的なローカル周波数の変動を検出する機能により変動検出手段が構成されており、ＣＰＵ２３が瞬間的なローカル周波数の変動に関する情報（例えば、ラッチ部２２からの出力値）をメモリに記憶する機能やＣＰＵ２３が瞬間的なローカル周波数の変動に関する情報（例えば、異常が発生したことを示す警告情報）を表示回路２４により表示出力する機能や表示回路２４が瞬間的なローカル周波数の変動に関する情報（例えば、ラッチ部２２からの出力値や、警告情報）を表示出力する機能により変動処理手段が構成されている。
【実施例２】
【００２８】
本発明の第２実施例を説明する。
本例では、放送システムで可搬型の中継装置として用いられる映像情報及び音声情報の伝送装置（ＦＰＵ）の送信機の高周波部に本発明を適用した場合を示す。
【００２９】
図２には、本発明の一実施例に係る送信出力変動の検知回路が設けられた伝送装置の構成例を示してある。なお、本例では、検知回路の周辺の構成部分を示してあり、他の構成部分については図示や説明を省略する。
本例の伝送装置は、利得可変回路３１と、増幅器３２と、ダイオード４１と、抵抗４２、４４と増幅器４３とコンデンサ４５からなる回路部と、検知部３３を備えている。ここで、この回路部は、増幅器４３の１つの入力端に抵抗４２を接続し、その入力端とその抵抗４２との間の信号点と増幅器４３の出力端との間に抵抗４４とコンデンサ４５を並列に接続して、構成されている。
検知部３３には、コンパレータ５１と、ラッチ部５２と、ＣＰＵ（Ｃｅｎｔｒａｌ  Ｐｒｏｃｅｓｓｉｎｇ  Ｕｎｉｔ）５３と、表示回路５４と、電源監視部５５と、加算器５６を備えている。
【００３０】
本例の伝送装置において行われる動作の一例を示す。
利得可変回路３１には、送信対象となる信号が入力される。
利得可変回路３１は、入力された信号のレベル（例えば、電力）を可変な利得で変化させて増幅器３２へ出力する。ここで、利得可変回路３１の利得は、増幅器３２から出力されてダイオード４１や増幅器４３を介して入力される信号により制御される。
なお、利得可変回路３１としては、例えば、可変増幅器などを用いて構成することができる。
【００３１】
増幅器３２は、利得可変回路３１から入力された信号を増幅して出力する。この出力信号は、本例では、アンテナ（図示せず）により無線送信される。
増幅器３２から出力される信号の一部が、ダイオード４１に入力される。
ダイオード４１は、増幅器３２から入力された信号を抵抗４２を介して増幅器４３へ出力するとともに、当該信号をコンパレータ５１へ出力する。ここで、ダイオード４１では、検波が行われる。
【００３２】
増幅器４３は、ダイオード４１から抵抗４２を介して入力された信号を増幅して利得可変回路３１及びラッチ部５２へ出力する。この信号は、利得可変回路３１の利得を制御する。また、この信号は、ラッチ部５２のラッチイネーブル信号として用いられる。
コンパレータ５１は、ダイオード４１から入力された信号と例えば外部から設定された比較対象値とを比較判定し、その結果の信号をラッチ部５２へ出力する。
【００３３】
ここで、コンパレータ５１による処理としては、例えば、入力信号の値（例えば、絶対値）と比較対象値（例えば、正の値）との大小を比較して、入力信号値が比較対象値以上となった（又は、比較対象値を超えた）場合には所定の第１の値（例えば、「０」値又は「１」値）の信号を出力し、入力信号値が比較対象値未満となった（又は、比較対象値以下となった）場合には所定の第２の値（例えば、「１」値又は「０」値）の信号を出力する処理などを用いることができる。
【００３４】
また、このような比較対象値として、複数の値を用いることも可能であり、一例として、上限値と下限値を設定して、入力信号値（絶対値）が上限値（正の値）と下限値（上限値より小さい正の値）との間である場合には第１の値を出力し、入力信号値が上限値以上となった（又は、上限値を超えた）場合や、入力信号値が下限値以下となった（又は、下限値未満となった）場合には第２の値を出力するような構成を用いることも可能である。
【００３５】
本例では、コンパレータ５１には、送信出力に要求される電力（出力電力）の切り換えが行われる毎に、コンパレータ５１においてその電力を特定することが可能な信号が入力される。そして、コンパレータ５１の比較対象値としては、送信出力に要求される電力に基づく値が設定される。
一例として、コンパレータ５１の比較対象値として、（送信出力に要求される電力の値＋所定値）を上限値に設定し、（送信出力に要求される電力の値−所定値）を下限値に設定するようなことが可能である。
【００３６】
ラッチ部５２は、コンパレータ５１から入力された信号をラッチしてＣＰＵ５３及び表示回路５４へ出力する。
ここで、ラッチ部５２からのラッチ出力は、増幅器４３から入力される信号をラッチイネーブル信号とし、加算器５６から入力される信号をリセット信号として、制御される。
【００３７】
ＣＰＵ５３は、例えば予め設定されたプログラムに従って、各種の処理を実行する。本例では、ＣＰＵ５３は、ラッチ部５２から入力された信号を取り込んで、その信号の値をメモリにログとして記憶（保持）することや、その信号の値に基づいて送信出力（本例では、電力）に瞬間的な変動が発生したか否かを判定することや、送信出力に瞬間的な変動が発生したことが判定された場合に、表示回路５４により警告を表示させるなどして、人（ユーザ）に対して警告を発することを行う。
【００３８】
表示回路５４は、例えば、ラッチ部５２から入力された信号の値を表示することや、ＣＰＵ５３からの制御により警告の情報を表示することを行う。
ここで、表示回路５４としては、例えば、機器（本例では、伝送装置）の前面に設けられた操作パネル上に表示機能（例えば、表示画面など）を備えることや、或いは、機器の内部にＬＥＤ（Ｌｉｇｈｔ  Ｅｍｉｔｔｉｎｇ  Ｄｉｏｄｅ）等による表示機能を備えることにより、構成される。
【００３９】
電源監視部５５は、機器の電源を監視して、所定の条件が満たされる場合に、ラッチ部５２からのラッチ出力をリセットするための制御信号を加算器５６へ出力する。このような電源監視により、初期電源投入時における動作不定を防ぐ。
本例では、例えば、電源がオフからオンへ切り替えられてから所定の時間が経過したタイミング（動作が安定したと予想されるタイミング）で、ラッチ部５２からのラッチ出力をリセットする。
【００４０】
また、加算器５６には、伝送対象となる映像及び音声のチャンネルの切り換えが行われた場合にはその旨を示す信号がリセットの制御信号として入力される。これにより、チャンネルの切り換えが行われる毎に、ラッチ部５２からのラッチ出力をリセットする。なお、チャンネル切り換えを示す信号は、例えば、人による操作により或いは機器により自動的にチャンネルが切り換えられた場合に、制御部（図示せず）などにより発生させられる。
【００４１】
また、加算器５６には、送信出力に要求される電力（出力電力）の切り換えが行われた場合にはその旨を示す信号がリセットの制御信号として入力される。これにより、送信出力に要求される電力の切り換えが行われる毎に、ラッチ部５２からのラッチ出力をリセットする。なお、送信出力に要求される電力の切り換えを示す信号は、例えば、人による操作により或いは機器により自動的に送信出力に要求される電力が切り換えられた場合に、制御部（図示せず）などにより発生させられる。
ここで、本例では、送信出力に要求される電力の切り換え時の信号として、コンパレータ５１に入力する信号と加算器５６に入力する信号とを共通化したが、これらの信号として別々の信号が用いられてもよい。
【００４２】
加算器５６は、電源監視部５５からの信号の入力とチャンネル切り換えを示す信号の入力と送信出力に要求される電力の切り換えを示す信号の入力を加算し、その結果の信号をラッチ部５２へ出力する。これにより、電源監視部５５からの制御或いはチャンネル切り換えを示す信号或いは送信出力に要求される電力の切り換えを示す信号の少なくともいずれかがあった場合には、ラッチ部５２からのラッチ出力がリセットされる。
【００４３】
また、上述のように、本例では、増幅器３２からの送信出力を検波して検波電圧を平滑化させた信号（電圧）を用いて利得可変回路３１の利得を制御することで、送信出力（例えば、電力）が規定の出力レベルとなるように制御を行うに際して、このような利得可変回路３１の利得を制御する信号（制御電圧）をラッチ部５２のラッチイネーブル信号として利用しており、これにより、送信出力が規定の出力レベルに収束した後にのみ検知回路が動作するようにしている。具体的には、送信出力が規定の出力レベルに収束した後に、その収束状態から変動して、瞬間的な送信出力変動が発生した場合にのみ、その異常な出力がラッチ出力として得られ、ＣＰＵ５３に取り込まれて、ログとして保持することや、若しくは、表示回路５４により警告等を表示することが行われる。
【００４４】
以上のように、本例の映像・音声情報伝送装置（ＦＰＵ）の送信機の高周波部では、瞬間的な送信出力の変動を検知して、その結果をログとして保持することや、その異常な結果を示す警告を表示することが行われる。
従って、本例では、瞬間的な送信出力の変動を検出して保持や警告することができるという点で、例えば、伝送エラーが生じた場合に、電波伝送路上の問題による影響であるか、或いは、機器内部の不調によるものであるかの判別を容易化することが可能である。
【００４５】
具体的には、本例の映像・音声情報伝送装置（ＦＰＵ）では、伝送エラーが生じた場合に、その要因が送信出力の変動であったときには、そのことを把握することができ、例えば、トラブルシューティングの１ツールとして利用することが可能である。
また、本例では、製造過程における不良の早期発見が可能となり、不良率の低減化にもつながる。
【００４６】
なお、本例の伝送装置では、ダイオード４１やコンパレータ５１やラッチ部５２が瞬間的な送信出力の変動を検出する機能により変動検出手段が構成されており、ＣＰＵ５３が瞬間的な送信出力の変動に関する情報（例えば、ラッチ部５２からの出力値）をメモリに記憶する機能やＣＰＵ５３が瞬間的な送信出力の変動に関する情報（例えば、異常が発生したことを示す警告情報）を表示回路５４により表示出力する機能や表示回路５４が瞬間的な送信出力の変動に関する情報（例えば、ラッチ部５２からの出力値や、警告情報）を表示出力する機能により変動処理手段が構成されている。
【００４７】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４８】
【図１】本発明の第１実施例に係るローカル周波数変動検知回路を有する伝送装置の構成例を示す図である。
【図２】本発明の第２実施例に係る送信出力変動検知回路を有する伝送装置の構成例を示す図である。
【符号の説明】
【００４９】
１・・発振器、  ２・・ＰＬＬ部、  ３、２１、５１・・コンパレータ、  ４、３３・・検知部、  １１、４２、４４・・抵抗、  １２、４５・・コンデンサ、  ２２、５２・・ラッチ部、  ２３、５３・・ＣＰＵ、  ２４、５４・・表示回路、  ２５、５５・・電源監視部、  ２６、５６・・加算器、  ３１・・利得可変回路、  ３２、４３・・増幅器、  ４１・・ダイオード、
【図１】
2008219281.tif 000003
【図２】
2008219281.tif 000004